(57)【特許請求の範囲】
【請求項１】
釣船（１）の竿固定部（２）で、竿（３）を挿着するとき、
該竿固定部（２）と該竿（３）との間に取り付ける緩衝材（４）で、
該緩衝材（４）は、該竿（３）の竿元（３ａ）に取り付け、
該緩衝材（４）は、切断部（４ａ）が具備されており、
該切断部（４ａ）があることで、該竿元（３ａ）に装着でき、
該緩衝材（４）には、溝（４ｂ）が具備されており、
該溝（４ｂ）には、輪ゴム（４ｃ）を装着することを特徴とする釣竿用緩衝材。
【請求項２】
釣船（１）の竿固定部（２）で、竿（３）を挿着するとき、
該竿固定部（２）と該竿（３）との間に取り付ける台形緩衝材（４ｄ）で、
該台形緩衝材（４ｄ）は、該竿（３）の竿元（３ａ）に取り付け、
該台形緩衝材（４ｄ）の上部は、前記竿固定部（２）の内径より大きく、
該台形緩衝材（４ｄ）に下部は、該竿固定部（２）の内面より小さく、
該台形緩衝材（４ｄ）は、切断部（４ａ）が具備されており、
該切断部（４ａ）があることで、前記竿元（３ａ）に装着でき、
該台形緩衝材（４ｄ）には、溝（４ｂ）が具備されており、
該溝（４ｂ）には、輪ゴム（４ｃ）を装着することを特徴とする釣竿用緩衝材。
【発明の詳細な説明】
【技術分野】
【０００１】
本発明は、釣船で移動するとき、備え付けの竿を挿着する穴と、釣竿の間に緩衝材を取り付ける、釣竿用緩衝材に関するものである。
【背景技術】
【０００２】
従来は釣船で、木造船のときは竿をそこらに置いていても、揺れは穏やかなもので大丈夫であった。しかし、強化樹脂でできている、現在の船の甲板は約時速５０キロ（２５ノット）で移動し、時速５０キロで移動中の船上では、風速１４メートルの風が吹く。おまけに、風上に向かって移動するときは、風速２０メートルを超えるときもあった。それは、まるで甲板の上は、台風にさらされたようになっていた。さらに、ローリングやピッチングの揺れで、釣竿を持っている余裕はなかった。
【０００３】
そこで、船の縁に設置された竿立て用の穴を、そのまま竿立てを使用する。そのときは釣道具も、釣を一番下のガイドに引っ掛けてリールを巻き、竿先を軽く曲げていると、竿先は風の抵抗で艫の方を向くので、揺れによって起こる回転運動がなくなり、道糸が絡むこともない。又は、その穴に竿置き具を差込、この竿置き具の挿入口に、釣竿を差し込んで取り付けるまたは、竿受けに釣竿を置いて移動するかの、何れかの方法があった。しかし、穴の径や、挿入径より対向長が、長い釣竿の握り部のハンドルトリガーなどが、硬い船縁や挿入口の縁に当たって、破損しまう恐れがあった。
【０００４】
そこで、引用文献４の特開２００７−２９５８１５の名称  船釣り用釣竿保護部材及び船竿と船釣り用釣竿保護部材のセットのように、釣り船の縁に設けた竿立て用の穴に、挿入して固定する保護部材であって、その保護部材は中空の筒状で、竿立て用の穴に挿入される挿入部と、穴から外部に露出する露出部で構成され、少なくとも露出部上面は柔軟性があることを要旨とするものである。
【先行技術文献】
【特許文献】
【０００５】
【特許文献１】特開２０１４−１４７３３５
【特許文献２】特開２０１３−９４１６２
【特許文献３】特開２００９−２０１４３４
【特許文献４】特開２００７−２９５８１５
【特許文献５】特開２００７−６８５２０
【発明の開示】
【発明が解決しようとする課題】
【０００６】
しかし、引用文献４の特開２００７−２９５８１５の名称  船釣り用釣竿保護部材及び船竿と船釣り用釣竿保護部材のセットは、船の縁に取り付けた穴の内側にセットしてある。もしも、船釣り用釣竿保護部材が具備されていない船で、その船が自分の船でなかった場合は仕方がないので、傷付くのを覚悟していた。
【０００７】
また、船の縁には船釣り用釣竿保護部材があり、その船釣り用釣竿保護部材が竿を引き抜くとき引っ掛かり、竿の方にくっ付いてしまう恐れがあった。それは、やっと釣り場に着いて、これからというときに、たかが釣竿に船釣り用釣竿保護部材が付いてしまい、取り除けば良いことであるが、縁起が悪く、釣をしている人間が縁起を担ぐ人が多い。
【０００８】
さらに、折角大きく開いてある、船の縁に設置した穴の、内面に船釣り用釣竿保護部材を取り付けることは、内面を狭くすることである。その狭くなった穴に、釣竿を差し込むときは、狭くなった分だけ面倒になる。そして取り外すとき、穴が狭くなっていた分だけ取り外し難くなる。
【０００９】
そこで、本発明の釣竿用緩衝材は、釣船（１）に設置された竿立て用の穴に、緩衝材を取り付けて利用するのではなく、竿（３）の竿元（３ａ）に直接緩衝材（４）を取り付けるものである。だから、釣船（１）の縁に竿固定部（２）を取り付けて、竿（３）を簡単に挿入できる釣竿用緩衝材を提供するものである。
【課題を解決するための手段】
【００１０】
上記目的を達成するために、本発明の釣竿用緩衝材は、釣船（１）の縁に具備した竿固定部（２）で挿着するとき、その竿固定部（２）と竿（３）との間に取り付ける緩衝材（４）で、竿（３）の方に取り付けるものである。
【００１１】
その緩衝材（４）は、竿（３）の竿元（３ａ）に取り付け可能とするため、緩衝材（４）には切断部（４ａ）が具備されている。その切断部（４ａ）は、竿（３）のリール（３ｂ）と握り（３ｃ）の間の、竿元（３ａ）に緩衝材（４）を取り付けるため、その取り付ける方法は、緩衝材（４）は弾性物であるため切断部（４ａ）を手で開け、竿（３）の竿元（３ａ）を包み込むように取り付ける。
【００１２】
そして、緩衝材（４）の上部と下部には溝（４ｂ）を具備して、その溝（４ｂ）に輪ゴム（４ｃ）を取り付けて、緩衝材（４）を輪ゴム（４ｃ）の引っ張る力によって、緩衝材（４）が竿元（３ａ）に強く包み込まれ、摩擦で固定することで目的を達成した。
【００１３】
また、請求項２の解決するための手段は、釣船（１）の竿固定部（２）で挿着するとき、
その竿固定部（２）と竿（３）との間に取り付ける台形緩衝材（４ｄ）で、その台形緩衝材（４ｄ）は竿（３）の竿元（３ａ）に取り付けている。
【００１４】
その台形緩衝材（４ｄ）は、竿（３）の竿元（３ａ）に取り付け可能とするため、台形緩衝材（４ｄ）には切断部（４ａ）が具備されており、竿（３）のリール（３ｂ）と握り（３ｃ）の間の、竿元（３ａ）に台形緩衝材（４ｄ）を取り付ける。その取り付ける方法は、台形緩衝材（４ｄ）は弾性物であるため切断部（４ａ）を手で開け、竿（３）の竿元（３ａ）を包み込むように取り付ける。
【００１５】
そして、台形緩衝材（４ｄ）の上部の外形は、竿固定部（２）の内径より大きいことと、台形緩衝材（４ｄ）の下部には竿固定部（２）より小さい直径であるため途中で引っ掛かり、竿固定部（２）と竿（３）の間の隙間をなくする。そして、台形緩衝材（４ｄ）上部には溝（４ｂ）があり、輪ゴム（４ｃ）で固定する。さらに、台形緩衝材（４ｄ）下部には溝（４ｂ）が具備してあり、上の溝（４ｂ）と同じく輪ゴム（４ｃ）の引っ張る力によって台形緩衝材（４ｄ）と竿元（３ａ）の間を摩擦で、固定することで目的を達成した。
【発明の効果】
【００１６】
本発明の釣竿用緩衝材は、次のような効果がある。
（イ）船の竿固定部は、竿に緩衝材を取り付けてあるので、釣竿が痛まない。
（ロ）緩衝材は弾性物でできているので、製作が簡単であるから安価である。
（ハ）切断部から分けられるので、取り付けが容易である。
（ニ）緩衝材を自分の竿に取り付けるので、船を選ばない。
（ホ）請求項２の台形緩衝材は、竿固定部と竿の隙間がないように取り付けられるので、竿が回ることがない。
【図面の簡単な説明】
【００１７】
【図１】図は、竿の正面図と、船の縁の断面図である。
【図２】図は、緩衝材の斜視図である。
【図３】図は、輪ゴムの斜視図である。
【図４】図は、緩衝材の平面図である。
【図５】図は、緩衝材を取り付ける途中の正面図である。
【図６】図は、竿元に緩衝材を取り付けた正面図である。
【図７】図は、緩衝材を輪ゴムで止めた正面図である。
【図８】図は、テーパーになった台形緩衝材の正面図である。
【図９】図は、斜めになった竿固定部の断面図である。
【発明を実施するための最良の形態】
【００１８】
本発明の釣竿用緩衝材は、釣船（１）で移動中に、釣船（１）の縁に具備してある竿固定部（２）に竿（３）を挿入して、竿（３）と竿固定部（２）の間に緩衝材（４）を取り付けることで、竿（３）の破損がなくなるものである。その竿（３）は、釣（３ｇ）を一番下のガイド（３ｈ）に引っ掛けて、リール（３ｂ）を巻くと道糸（３ｄ）はガイド（３ｈ）同士の距離を縮める。
【００１９】
そのため、結果竿（３）は竿先（３ｅ）が曲がり、道糸（３ｄ）はピンと張るので、少々の振動では道糸（３ｄ）が絡むことがない。つまり、竿先（３ｅ）の弾力で、道糸（３ｄ）が張っている。また、一番下のガイド（３ｈ）に引っ掛ける方法より他に、リール（３ｂ）の巻取り装置に引っ掛ける方法がある。そして、風の抵抗で竿先（３ｅ）は風下の方を向く。したがって、無駄に方向が変ることがない。
【００２０】
そして緩衝材（４）は、上から見たら略Ｃ形をしており、竿（３）のリール（３ｂ）と握り（３ｃ）の間の竿元（３ａ）に、緩衝材（４）の切断部（４ａ）を手で開いて、竿（３）の竿元（３ａ）を跨ぐように取り付け、最後には竿元（３ａ）を緩衝材（４）が抱くようになる。その緩衝材（４）は、弾性物のスッポンジ（発泡ゴム）でできているため、簡単に開くことができる。そして竿元（３ａ）は、竿（３）の竿先（３ｅ）から竿元（３ａ）のプラスチックの地肌が出ている部分で、握り（３ｃ）の上の部分である。しかし、握り（３ｃ）が長く、リール（３ｂ）の所まであり、取り付ける場所がないときには、握り（３ｃ）の外側に、緩衝材（４）を取り付けることができる。また、安価な竿（３）の中には握り（３ｃ）が付いていないものがあり、その時には竿元（３ａ）の上部の、リール（３ｂ）よりは下に取り付ける。
【００２１】
そして緩衝材（４）が、竿（３）から外れないように輪ゴム（４ｃ）で止める。その輪ゴム（４ｃ）で止めるためには、緩衝材（４）に溝（４ｂ）を２本以上取り付け、その溝（４ｂ）に輪ゴム（４ｃ）を取り付ける。その輪ゴム（４ｃ）は、握り（３ｃ）の方から指で広げて取り付ける。輪ゴム（４ｃ）はＯリングでなくとも、市販している普通の輪ゴムで十分であり、２重や３重にすると適当な長さになる。
【００２２】
その緩衝材（４）は、竿固定部（２）と竿（３）との間に取り付ける緩衝材（４）で、緩衝材（４）は竿元（３ａ）に取り付け可能とすることで、竿（３）の挿入や取り外しが、それを取り付けることで邪魔にならないようにしている。それは、握り（３ｃ）が適度に太くて、緩衝材（４）がさらに太くなっているため、徐々に下部から大きくなっているため挿入し易くなっている。
【００２３】
緩衝材（４）を取り付けると、釣船（１）が大きく揺れて、硬い竿固定部（２）の内面で削られていたが、緩衝材（４）を取り付けることで、緩衝材（４）のゴムは、ショックを吸収するので、竿（３）は傷付かない。
【００２４】
また請求項２の釣竿用緩衝材は、釣船（１）で移動中に釣船（１）の縁に具備してある竿固定部（２）に竿（３）を挿入して、竿（３）と竿固定部（２）の間に台形緩衝材（４ｄ）を取り付けることで、竿（３）の破損がなくなるものである。その竿（３）は、釣（３ｇ）を一番下のガイド（３ｈ）に引っ掛けて、リール（３ｂ）を巻くと道糸（３ｄ）はガイド（３ｈ）同士の距離を縮めるため、結果竿（３）は竿先（３ｅ）が曲がり、竿先（３ｅ）が風の抵抗で、風下の方を向く。したがって、無駄に方向が変ることがない。
【００２５】
その台形緩衝材（４ｄ）は上から見たら略Ｃ形をしており、竿（３）のリール（３ｂ）と握り（３ｃ）の間の竿元（３ａ）に、台形緩衝材（４ｄ）の切断部（４ａ）を手で開いて、竿（３）の竿元（３ａ）を跨ぐように取り付ける。台形緩衝材（４ｄ）は、弾性物のスッポンジ（発泡ゴム）でできているため、簡単に開く。そして竿元（３ａ）は、竿（３）の竿先（３ｅ）から竿元（３ａ）の、プラスチックの地肌が出ている部分である。しかし、握り（３ｃ）が長く、リール（３ｂ）の所まであり、取り付ける場所がないときには、握り（３ｃ）の外側から抱くように台形緩衝材（４ｄ）を取り付けることができる。また、安価な竿（３）の中には握り（３ｃ）が付いていないものがあり、その時には竿元（３ａ）の上部の、リール（３ｂ）よりは下に取り付ける。
【００２６】
そして台形緩衝材（４ｄ）が、竿（３）から外れないように輪ゴム（４ｃ）で止める。その輪ゴム（４ｃ）で止めるためには、台形緩衝材（４ｄ）に溝（４ｂ）を２本取り付け、その溝（４ｂ）に輪ゴム（４ｃ）で取り付ける。輪ゴム（４ｃ）は、握り（３ｃ）の方から指で広げて取り付ける。輪ゴム（４ｃ）はＯリングでなくとも、普通の市販されている輪ゴムで十分役目を果たし、２重や３重にすると適当な長さが得られる。
【００２７】
つまり、竿固定部（２）と竿（３）との間に取り付ける台形緩衝材（４ｄ）であり、その台形緩衝材（４ｄ）は、竿（３）の竿元（３ａ）に取り付け可能とすることで、竿（３）のさし込みや取り外しが簡単にできるようになった。それは、握り（３ｃ）が適度に太くて、台形緩衝材（４ｄ）がさらに太くなっているため、徐々に下部から大きくなっているため、挿入し易くなっている。そのため、竿（３）の方に台形緩衝材（４ｄ）を取り付ける方がよい。
【実施例１】
【００２８】
以下、本発明の実施例について、図面を参照して説明する。
図１は、釣船（１）の縁の断面図と、竿（３）全体の正面図である。その釣船（１）の縁は、断面図になっており、その穴に取り付けた竿固定部（２）は、穴にΦ４２のステンレスのパイプを取り付け、そのパイプの内径はΦ３８である。その竿固定部（２）の中に、緩衝材（４）を取り付けた竿（３）を、中に挿入したところである。
【００２９】
その緩衝材（４）はΦ３５の外形をしており、３ミリの余裕は簡単に竿固定部（２）から挿入したり、取り出せるものである。そして竿（３）は、甲板（１ａ）に接触していない状態で、リール（３ｂ）が引っ掛かり、竿（３）の重量を支えている。したがって釣船（１）の、外板（１ｂ）の高さの上には、リール（３ｂ）がある。リール（３ｂ）は、スピニングリールを書いたが、ベイトリールでも差し支えない。
【００３０】
この釣竿を竿固定部（２）に固定するときは移動中で、船の移動中は甲板（１ａ）は、風が約風速２０メートルで、ローリングやピッチング、おまけに縦揺れで乗っている人は、体を支えていないと大怪我をする恐れがあった。したがって、竿（３）を持って傷付かないように保護する余裕はなかった。
【００３１】
そこで竿固定部（２）に、竿（３）を差し込んで挿着したところである。そして竿（３）の根元の握り（３ｃ）部分は、船の甲板（１ａ）に接触しているものもあり、竿（３）の先端の竿先（３ｅ）は、釣（３ｃ）を一番下のガイド（３ｄ）に引っ掛けてリール（３ｂ）を巻き、竿（３）の先端は弓なりになって、その竿先（３ｅ）は風の力で、釣船（１）の艫を向いている。
【００３２】
したがって、竿（３）を弓なりに引っ掛けていなかった場合は、方向性がないため、釣船（１）の揺れでどちらを向くか分からない状態で、その間を揺れに合わせて回転運動がおきていた。また釣船（１）の揺れで、道糸（３ａ）に付いている重り（３ｂ）が弾んで絡まっていたので、弓なりに弾力性を持たせ固定していた。つまり、何れ絡まってしまうのならば、ガイド（３ｄ）に引っ掛けておく方が、取り外しする方法が分かっているので簡単である。
【００３３】
図２は、緩衝材（４）の斜視図である。緩衝材（４）は発砲ゴムでできており、その緩衝材（４）には切断部（４ａ）があり、その切断部（４ａ）から取り付けが可能である。そして、その緩衝材（４）には上部と下部に溝（４ｂ）が具備されているが、必要ならば溝（４ｂ）は２本以上取り付けてもよい。その溝（４ｂ）は、輪ゴム（４ｃ）を取り付けるためのものである。その溝（４ｂ）はアングルグラインダーに、幅２ミリの切断刃をセットし、深さ３ミリを維持しながら切り、その後で切断刃の側面を利用して幅２．５ミリにする。したがって、輪ゴム（４ｃ）に大きさによって溝（４ｂ）の深さや幅も決まるが、本試作は深さ３ミリの、幅２．５ミリで溝（４ｂ）を具備している。
【００３４】
また、緩衝材（４）の上部の面と、下部の面は緩やかなアールが取ってあり、竿固定部（２）に竿（３）を挿入し易くなっている。もしも、緩衝材（４）にアールが取っていないと、竿（３）を挿入するとき、竿固定部（２）の入り口に引っ掛かってしまう。普段なら見ているので些細なことだが、釣をしていて魚がかかると、その魚の方しか目が向いていないので、竿固定部（２）の中にしっかりと入っていないことがある。それらのことを鑑みて、アールを付けた。
【００３５】
図３は、輪ゴム（４ｃ）の斜視図である。その輪ゴム（４ｃ）は、緩衝材（４）の溝（４ｂ）に取り付けるものであり、輪ゴム（４ｃ）は市販している（ニトリルゴムＮＢＲ）の、水道用のＯリングである。そのＯリングは、直径の外形Φ２５の物を使用していて、その切断部はΦ２．５の物を使用しているので、内径はΦ２０である。取り付け方は、竿（３）の竿元（３ａ）に緩衝材（４）を取り付け、握り（３ｃ）の方から輪ゴム（４ｃ）を伸ばして、緩衝材（４）の溝（４ｂ）に取り付ける。また、輪ゴム（４ｃ）は市販している普通の輪ゴム（４ｃ）でもよいが、市販している輪ゴム（４ｃ）では角が付いているため、その角が引っ掛かる原因となるためＯリングの方が、断面が丸いのでよい。
【００３６】
図４は、緩衝材（４）の平面図である。上から見た図は略Ｃ型の形をしており、緩衝材（４）は切断部（４ａ）によって切れ目がある。その切断部（４ａ）の切れ目は、アングルグラインダーに、幅２ミリの切断刃をセットして切った。アングルグラインダーを利用した訳は、高速で刃が回転するため、緩衝材（４）を変形ささないで切ることができるためである。
【００３７】
その切断部（４ａ）は、竿（３）の竿元（３ａ）はΦ１６の大きさで、抱くように周りに取り付けてある。しかし弾性部質であるため、竿元（３ａ）はΦ１２から最大でΦ２０以下を囲う余裕がある。したがってΦ２０以上の物は、それより大きな物を使用し、Φ１２以下のときは、それ以下の緩衝材（４）を使用する。
【００３８】
図５は、竿（３）に緩衝材（４）を取り付けるところの正面図である。その図は、両手で緩衝材（４）の切断部（４ａ）に、親指を差し込んで緩衝材（４）を開き、竿元（３ａ）に取り付ける途中である。竿（３）の竿元（３ａ）は、リール（３ｂ）と握り（３ｃ）に挟まれた、直径の小さなところである。そのため、竿元（３ａ）に取り付けるためには、緩衝材（４）に切断部（４ａ）を具備した。つまり、一番直径の小さいところで、握り（３ｃ）とリール（３ｂ）に挟まれたところを、手錠のように開きとめるものである。
【００３９】
また、握り（３ｃ）を大きくすれば問題は解決するように思うが、握り（３ｃ）を太くすることは、竿固定部（２）の大きさが分からないので、握り（３ｃ）を大きくすることはできない。さらに、握り（３ｃ）の上に緩衝材（４）を取り付けると、竿元（３ａ）に移動して、脱落してしまう可能性があるので、竿元（３ａ）の直径がリール（３ｂ）よりも握り（３ｃ）よりも細いので、一番細いところが安定して取り付けられる。しかし、握り（３ｃ）が長く、リール（３ｂ）の所まであり、取り付ける場所がないときには、握り（３ｃ）の外側に取り付けることができる。また、安価な竿（３）の中には、握り（３ｃ）が付いていないものがある。したがって、握り（３ｃ）の下は、竿（３）の本体の樹脂でできており、その樹脂に取り付けるものである。その時には、竿元（３ａ）の上の部分で、リール（３ｂ）よりは下の、竿固定部（２）の上部に接するところに取り付ける。
【００４０】
図６は、竿元（３ａ）に緩衝材（４）を取り付けたところである。緩衝材（４）は発砲ゴム又はスッポンジでできているため、その硬さは想像の通りに軟らかい。そして、緩衝材（４）の切断部（４ａ）を開くように、両手の親指で切断部（４ａ）を開き、竿元（３ａ）に取り付ける。竿元（３ａ）の直径はΦ１６の太さであり、緩衝材（４）の内径はΦ１４であるため、緩衝材（４）は少し開いた状態であり、取り付けるのは最もよい状態である。
【００４１】
もしも、竿元（３ａ）の直径がΦ１４であったら、緩衝材（４）を取り付けて、輪ゴム（４ｃ）で押さえるまでは固定しない。さらに竿元（３ａ）がΦ１８以上であれば、緩衝材（４）の切断部（４ａ）が竿元（３ａ）を隠す場所が広いので、竿固定部（２）と竿元（３ａ）が接触する恐れがあるので、それに合った緩衝材（４）を使用する。
【００４２】
図７は、竿元（３ａ）に緩衝材（４）と、その緩衝材（４）には溝（４ｂ）に輪ゴム（４ｃ）を取り付けた正面図である。その輪ゴム（４ｃ）は手で広げ、握り（３ｃ）の方から緩衝材（４）の溝（４ｂ）に２ヶ所取り付ける。全体的には、樽のような形をしており、輪ゴム（４ｃ）は緩衝材（４）の表面より僅かに出ているが、溝（４ｂ）が深くて緩衝材（４）が竿固定部（２）に接触して、竿固定部（２）の角で緩衝材（４）を削るのよりは、輪ゴム（４ｃ）の方が硬いのでよい。
【実施例２】
【００４３】
図８は、テーパーになった台形緩衝材（４ｄ）の正面図と、釣船（１）の縁の、竿固定部（２）の断面図である。その台形緩衝材（４ｄ）の上部はΦ４２の外形をしており、釣船（１）の竿固定部（２）の内径Φ３８より大きくなっており、竿（３）を竿固定部（２）の中へは４分の１を残し、完全に入らないことで、隙間なく竿（３）が安定する。
【００４４】
そして、台形緩衝材（４ｄ）の下部は、竿固定部（２）の内径よりΦ２２で小さくなっており、下の部分は竿固定部（２）の中に入る。この場合、竿固定部（２）がΦ３８であるため、台形緩衝材（４ｄ）の上部はΦ４２以上で、台形緩衝材（４ｄ）の下部はΦ２２より小さな直径になる。
【００４５】
そのことで、緩衝材（４）では竿固定部（２）の中で、釣船（１）の揺れのため踊っていたが、台形緩衝材（４ｄ）では踊らないので、竿（３）先の固定ができるようになった。したがって、竿先（３ｅ）を曲げるためリール（３ｂ）を巻いて、ガイド（３ｈ）を接近させるため道糸（３ｄ）を張る必要がないが、重り（３ｆ）が弾んでハリスが絡まってしまうため、一番下のガイド（３ｈ）に釣（３ｇ）を引っ掛ける方がよい。
【００４６】
そして、台形緩衝材（４ｄ）は発砲ゴムでできており、その台形緩衝材（４ｄ）には切断部（４ａ）があり、その切断部（４ａ）から取り付けが可能である。そして、その台形緩衝材（４ｄ）には上部と下部に溝（４ｂ）が具備されているが、必要ならば溝（４ｂ）は２本以上取り付けてもよい。その溝（４ｂ）は、輪ゴム（４ｃ）を取り付けるためのものである。その溝（４ｂ）は、アングルグラインダーに幅２ミリの切断刃をセットし、深さ３ミリを維持しながら切り、その後で切断刃の側面を利用して幅２．５ミリにする。したがって、輪ゴム（４ｃ）に大きさによって溝（４ｂ）の深さや幅も決まるが、本試作は深さ３ミリの、幅２．５ミリで溝（４ｂ）を具備している。
【実施例３】
【００４７】
図９は、竿固定部（２）を斜めにした断面図で、釣船（１）を正面から見たところで、釣船（１）の外板（１ｂ）と、甲板（１ａ）が断面で、竿（３）は正面図である。その竿固定部（２）を斜めにして取り付ける場合は、釣をしている時に、竿（３）を２本以上使用している場合である。つまり、釣船（１）で錨をして、釣船（１）を固定してある場合には、２本から５本を使用するのが一般的である。
【００４８】
その船釣は磯釣と同じであるが、海からの方が、そのポイントにいけるため簡単であるし、沖から竿を投げるので、届かないことがない。また、海は広いように見えるが、魚のいる場所は、海岸や岸壁の近くが圧倒的に多い。その時には、釣道具を投げて、その竿（３）を竿固定部（２）に挿入して、次の竿（３）を投げる。
【００４９】
したがって、釣船（１）で釣をしていても、投げ釣と同じであるが、そのときにも竿固定部（２）には、釣竿を固定するときの緩衝材（４）が必要である。しかし移動中の、まるで台風のような風の中で、竿（３）が破損することを考えれば、それほど緩衝材（４）が重要ではない。
【実施例４】
【００５０】
釣竿用緩衝材の、符号の詳細な説明。
釣船（１）は、有漁船またはレジャーボートなどである。有漁船は、客を乗せ、客は釣をするためにお金を支払い、船釣をするものである。レジャーボートは、自分でお金を出して船を買い、船釣りを楽しむものである。また、漁師などが使用する漁船は、殆どがリール（３ｂ）を使用していないので、緩衝材（４）も不要であるが、漁師も自分の食べる分を釣るときには、リール（３ｂ）を使用することもある。
甲板（１ａ）は、船舶の上部の、木や鉄板や強化プラスチックで張りつめた、広く平らな床で、デッキとも言う。人が乗るところで、その床の外側には外板（１ｂ）があり、通常の場合、海面より高い所にある。しかし、あまり高いと風の抵抗を受けるため、１０センチから３０センチがよいが、大型釣船（１）では５０センチ以上のものもある。
外板（１ｂ）は、船の側面にあり、直接海水に触れる場所で、それより下は船底がある。そして図１と図７は、外板（１ｂ）は外側が見えない方向にあり、図９で説明した。
【００５１】
竿固定部（２）は、甲板（１ａ）の上の、外板（１ｂ）の内側に取り付けたパイプである。その竿固定部（２）は垂直に取り付けてあり、その穴を利用してテントなどを張ることもある。テントは、夏に直射日光が当たるだけでなく、海面に反射した日光が散乱していた。それで、直射日光だけでも防ぐものである。
【００５２】
竿（３）は、リール（３ｂ）などを取り付けているものを言い、伸び竿のようにリール（３ｂ）を取り付けていないものは、全体が軽いので、この釣竿を固定するときの緩衝材は、あまり必要としない。
竿元（３ａ）は、竿（３）の下の部分で、握り（３ｃ）は竿元（３ａ）の外側にあり、外形が一番大きい所である。そして、握り（３ｃ）とリール（３ｂ）を取り付けた場所の間にあり、竿（３）の下部分を言う。したがって、握り（３ｃ）が異常に長くて、緩衝材（４）が取り付けられない場合には、握り（３ｃ）の上に取り付けてもよい。
リール（３ｂ）は、スピニングリールとベイトリールがあり、ベイトリールは電動の物もあり、どちらのリール（３ｂ）も使用できるが、この図ではスピニングリールを書いた。
握り（３ｃ）は、滑らないようにテープまたはゴムで巻いたり、握り（３ｃ）をゴムで作り、その握り（３ｃ）を竿元（３ａ）に差し込んで握り（３ｃ）とする。ゴルフのクラブで言えば、グリップのことである。その握り（３ｃ）を取り付けていない物があり、その場合には、竿元（３ａ）の上部で、リール（３ｂ）の下側に取り付ける。また、握り（３ｃ）が長くリール（３ｂ）の直ぐ下まで取り付けてあるときは、握り（３ｃ）の上に取り付けてもよい。
【００５３】
道糸（３ｄ）は、リール（３ｂ）に巻いてある紐や、ハリスなど、全ての紐を指す。
竿先（３ｅ）は、図１で曲がったところ全体を指すが、主には竿（３）の上部を指す。
重り（３ｆ）は、通常鉛でできており、道糸（３ｄ）を早く海底に沈めるためと、投げ釣では、その重り（３ｆ）の重さで、遠くに投げるための物である。
釣（３ｇ）は、餌を付けて海や池の魚を釣るものであるが、図１では一番下のガイド（３ｈ）を、釣（３ｇ）が引っ掛けている。したがって、フックの働きしかしていないが、釣（３ｇ）として、名前を付けた。
ガイド（３ｈ）は、竿（３）の竿先（３ｅ）からリール（３ｂ）の間の、道糸（３ｄ）をスムーズに送るためにあるもので、形はリングをしており、そのリングの中を道糸（３ｄ）が通っている。図１では、一番下のガイド（３ｈ）に、釣（３ｇ）が引っ掛けてある。
【００５４】
緩衝材（４）は、ゴムや発泡ゴムまたはスッポンジでできており、軟らかいため振動を吸収する。その他の材質は、コルクや絨毯のように、ショックを吸収するものであれば使用できる。
切断部（４ａ）は、緩衝材（４）を切った場所であり、何もない空間を指す。したがって、切断面ならば見えている。
溝（４ｂ）は、緩衝材（４）の上と下に溝（４ｂ）を取り付け、その溝（４ｂ）は輪ゴム（４ｃ）の大きさに合わせて、幅と深さが決まる。
【００５５】
輪ゴム（４ｃ）は、Ｏリングが丸くなっているので、竿固定部（２）との摩擦が少なくてよい。しかし、普通の輪ゴム（４ｃ）を２重にして使用するか、３重にして使用する。ただ、概観はよくないし、輪ゴム（４ｃ）の角が引っ掛かってしまい、あまり良くない。また、ゴムが強すぎると溝（４ｂ）が縮み、表面が凸凹になる恐れがあるので、その大きさにあったＯリングを使用する。
台形緩衝材（４ｄ）は、横から見たら台形になっている以外は、緩衝材（４）と同じであるが、緩衝材（４）のように面取りをする必要はない。
【符号の説明】
【００５６】
１  釣船        １ａ  甲板        １ｂ  外板
２  竿固定部
３  竿      ３ａ  竿元    ３ｂ  リール      ３ｃ  握り
３ｄ  道糸    ３ｅ  竿先    ３ｆ  重り      ３ｇ  釣    ３ｈ  ガイド
４  緩衝材      ４ａ  切断部      ４ｂ  溝      ４ｃ  輪ゴム
４ｄ  台形緩衝材
【要約】
【課題】  従来の釣竿用保持具は、釣竿を傷付かないように、船の穴に緩衝材を取り付けていた。しかし有漁船などには、設置していないものもあった。そこで、本発明の釣竿用緩衝材は、竿（３）に直接取り付けるものであるから、船を選ばず、竿（３）に傷付かない。さらに、竿（３）に取り付けているので、竿固定部（２）に挿入が簡単である。
【解決手段】    本発明の釣竿用緩衝材は、釣船（１）の竿固定部（２）で竿（３）を挿着するとき、竿固定部（２）と竿（３）との間に取り付ける緩衝材（４）で、その緩衝材（４）は竿（３）の竿元（３ａ）に取り付けている。
【選択図】  図１【図１】
0005867974.tif 000002
【図２】
0005867974.tif 000003
【図３】
0005867974.tif 000004
【図４】
0005867974.tif 000005
【図５】
0005867974.tif 000006
【図６】
0005867974.tif 000007
【図７】
0005867974.tif 000008
【図８】
0005867974.tif 000009
【図９】
0005867974.tif 000010